【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
小売店オペレータが購入可能な品目を入力できるようにするとともにそれら購入可能な品目の価格を累算する装置に接続された購入点装置において、
上記小売店オペレータにより制御される装置に接続されたコントローラから、上記小売店オペレータの動作により生じる信号が送られたときに、在庫から商品をディスペンスするディスペンサを備え、上記商品の価格が上記コントローラにより上記購入可能な品目の価格に自動的に加算されるようにされ、
そして、ディスペンスされる商品に基づいて購入者に提示されるプロンプトを備えている、購入点装置。
【請求項２】
上記装置は、スキャナ、キャッシュレジスタ、購入点キオスク及びタッチスクリーンよりなるグループから選択されたものである請求項１に記載の購入点装置。
【請求項３】
上記コントローラは、電気的接続、光学的接続、及び高周波信号による接続よりなるグループから選択された態様で上記装置に接続される請求項１に記載の購入点装置。
【請求項４】
上記コントローラは、上記装置と一体化されたものである請求項１に記載の購入点装置。
【請求項５】
小売店オペレータが購入可能な品目を入力できるようにするとともにそれら購入可能な品目の価格を累算する自動購入装置と共に動作する購入点装置において、
商品の在庫を収容する本体と、
上記本体内に保持されたコントローラと、
上記本体内にあって、上記小売店オペレータの動作により生じる信号が上記コントローラから送られたときに上記在庫から商品をディスペンスするディスペンサと、
を備え、上記商品の価格が上記コントローラにより上記購入可能な品目の価格に自動的に加算されるようにし、
そして、ディスペンスされる商品に基づいて購入者に提示されるプロンプトを備えている、購入点装置。
【請求項６】
上記自動購入装置は、スキャナ及びキャッシュレジスタよりなるグループから選択される請求項５に記載の購入点装置。
【請求項７】
上記コントローラと通信し、消費者が商品を購入するよう促すディスプレイを備えた請求項５に記載の購入点装置。
【請求項８】
上記本体は、モジュール化され、上記自動購入装置とは物理的に独立している、請求項５に記載の購入点装置。
【請求項９】
会計係を必要とせずに購入点商品を供給する方法において、
消費者が購入する品目を運びこむ勘定台エリアを用意し、
消費者が希望する品目に関する価格を累算し、
購入点に商品を用意し、
購入点において他の商品が入手できることを消費者に促し、
消費者により商品を購入する旨の要求があったときに購入点において消費者に商品をディスペンスし、
会計係を必要とせずに、購入される他の品目に関連した価格に上記商品の追加の価格を自動的に加算し、そして、
購入点においてディスペンスされる商品の在庫データを独立して追跡する、
という段階を備えた方法。
【請求項１０】
上記商品及び他の購入された品目に対する交換において単一の支払を受け入れる段階を含む、請求項９に記載の方法。
【請求項１１】
商品の広告により商品が入手できることが消費者に促される、請求項９に記載の方法。
【請求項１２】
消費者を促す上記段階は、消費者が他の消耗品を購入する前、消費者が他の品目を購入している間、及び消費者が他の品目を購入した後よりなるグループから選択された時間に消費者を促すことを含む請求項９に記載の方法。
【請求項１３】
小売店オペレータが、商品を購入する消費者が承認を入力するようにする段階をさらに備える、請求項９に記載の方法。
【請求項１４】
消費者が、商品を購入する承認を入力するようにする段階をさらに備えた、請求項９に記載の方法。
【請求項１５】
購入点商品をディスペンスする方法であって、
小売店の顧客に販売するための購入可能な品目及び購入点商品を用意し、
上記購入点商品に対する顧客の選択を、上記購入可能な品目に対する購入点位置の付近の小売店顧客ターミナルに入力し、この小売店顧客ターミナルは、購入点商品に対する顧客の選択と、購入可能な品目に対する顧客の選択とを処理するものであり、
上記購入点商品に対する顧客の選択を処理して、上記購入可能な品目に対する購入点位置の付近の購入点ディスペンサと電気的に通信し、
上記電気的通信に応答して上記購入点ディスペンサから顧客へ上記購入点商品をディスペンスし、
顧客が購入することを選択した購入点商品に基づいて、顧客にプロンプトを提示し、そして、
前記購入点ディスペンサを用いて、購入点ディスペンサによってディスペンスされる購入点商品の在庫データを独立に追跡する、
という段階を備えた方法。
【請求項１６】
小売品目をディスペンスする装置であって、
購入点位置の付近に配置された、購入可能な品目及び購入点商品を選択することのできる入力装置を有する小売店顧客ターミナルと、
上記小売店顧客ターミナルと電気的に通信し、上記購入可能な品目及び購入点商品の選択を処理するようにされた小売品目プロセッサと、
上記購入点位置の付近に配置され、上記小売店顧客ターミナル及び小売品目プロセッサと電気的に通信し、上記購入点商品の選択に応答して蓄積位置からディスペンス位置へ上記購入点商品を取り扱いそしてディスペンスするようにされたディスペンスターミナルと、
顧客が購入することを選択した購入点商品に基づいて購入者に提示されるプロンプトと、
を備えた購入点装置。
【請求項１７】
上記ディスペンスターミナルは、更に、小売店顧客に対する釣銭として少なくとも１つのコインを取り扱いそして払い出す請求項１６に記載の装置。
【請求項１８】
蓄積される購入点商品を収容し、イジェクトするリセプタクルと、
購入可能品目のための購入点位置の付近に位置し、購入点商品を支持するように構成された表面を有するディスペンス位置と、
購入可能品目のための購入点位置の付近に位置し、購入可能品目及び購入点商品の顧客選択を入力するようにされた顧客選択入力装置と、
上記入力装置及び顧客選択によって購入点商品をイジェクトするリセプタクルと電気的に通信する小売品目プロセッサと、
上記リセプタクルからイジェクトされた購入点商品を、購入可能な品目のための購入点位置の付近のディスペンス位置へ配送するように構成されたディスペンス装置と、
顧客が購入することを選択した購入点商品に基づいて購入者に提示されるプロンプトと、
を備えた小売品目をディスペンスする装置。
【請求項１９】
購入可能な品目を入力しそしてそれら品目の価格を累算する装置に接続された購入点装置を動作させる方法であって、
販売中の購入可能品目及び購入点商品を小売店顧客に提示し、
購入可能品目のための購入位置の付近の小売店顧客ターミナルに購入点商品の顧客選択を入力し、前記小売店顧客ターミナルは購入点商品の顧客選択及び購入可能品目の顧客選択を処理するようにされており、
電気通信に応答して、購入点ディスペンサから前記購入点商品を顧客にディスペンスし、
上記購入点装置を使用して、上記購入点装置によりディスペンスされる商品の在庫データを独立して追跡し、そして
購入可能な品目の入力装置から離れた位置にいる商品の供給者にそのレベルを伝達するという段階を備えた方法。
【請求項２０】
上記在庫データは、商品流量データ、在庫レベルデータ、１日の特定の時間における流量データ、１年の特定の時間における流量データ、及び商品を購入する顧客のタイプに関するデータよりなるグループから選択されたデータを含む請求項１９に記載の方法。
【請求項２１】
在庫レベルに基づいて商品の広告を選択する段階を含む請求項１９に記載の方法。